(57)【要約】【課題】低解像度、小面積の表示装置を使用する場合でもプレビューによる原稿画像の確認、特に原稿の傾きやはみ出しといった位置確認をユーザが容易に行える手法を提供する。【解決手段】原稿画像を読み取る原稿読取部と、読み取られた原稿画像を加工し出力用画像を生成する画像処理部と、前記出力用画像を外部へ出力する出力部と、原稿画像をユーザがプレビューするための表示部とを備え、前記画像処理部は、原稿画像の端部領域または原稿画像の文字領域に相当する一部領域からプレビュー用画像データを生成し、前記プレビュー用画像データを表示部に提供することを特徴とするプレビュー機能付き原稿読取装置。【選択図】図５
2011077669.tif 000002
【特許請求の範囲】
【請求項１】
原稿画像を読み取る原稿読取部と、
読み取られた原稿画像を加工し出力用画像を生成する画像処理部と、
前記出力用画像を外部へ出力する出力部と、
原稿画像をユーザがプレビューするための表示部とを備え、
前記画像処理部は、原稿画像の端部領域または原稿画像の文字領域に相当する一部領域からプレビュー用画像データを生成し、前記プレビュー用画像データを表示部に提供することを特徴とするプレビュー機能付き原稿読取装置。
【請求項２】
前記出力部は、出力用画像を出力先としての画像記憶装置、画像形成装置および／または通信線を介して接続された外部機器に出力し、
前記画像処理部は、前記出力先に適合するよう決定された画像サイズに基づいて前記端部領域を抽出する請求項１に記載の原稿読取装置。
【請求項３】
前記画像処理部は、前記原稿画像の下地除去処理を行い、下地除去処理された画像から矩形の画像領域端を決定し、その画像領域端に基づいて前記端部領域を抽出する請求項１または２に記載の原稿読取装置。
【請求項４】
前記画像処理部は、前記原稿画像を少なくとも文字領域と非文字領域とに分離する領域分離処理を行い、領域分離処理された画像から前記文字領域を抽出する請求項１〜３のいずれか一つに記載の原稿読取装置。
【請求項５】
前記画像処理部は、原稿画像から異なる位置の複数の端部または文字領域を抽出し、抽出された複数の領域を同時に表示するプレビュー用画像を生成する請求項１〜４のいずれか一つに記載の原稿読取装置。
【請求項６】
前記画像処理部は、表示部の縦横方向の表示サイズに対しいずれか一方向には収まるが他方向には収まらないサイズで前記プレビュー用画像を生成し、
前記プレビュー用画像は、他方向へスクロールされることにより表示部に各部分が表示されるものである請求項５に記載の原稿読取装置。
【請求項７】
前記画像処理部は、原稿画像の端部領域を複数の部分領域に分割し、各部分領域に対応する画像データを並べて同時に表示するプレビュー用画像を生成する請求項１〜３のいずれか一つに記載の原稿読取装置。
【請求項８】
前記画像処理部は、各部分領域に対応する画像データの天地の方向を原稿の天地の方向と一致させて並べたプレビュー用画像を生成する請求項７に記載の原稿読取装置。
【発明の詳細な説明】
【技術分野】
【０００１】
この発明は、読み取られた原稿画像をユーザがプレビューし得るプレビュー機能付き原稿読取装置に関する。
【背景技術】
【０００２】
従来から、スキャンした画像を、コピー等の前に表示部で表示するプレビュー機能が提唱、実装されてきた。これら機能は、スキャンした原稿画像の方向、位置、角度、といった原稿載置状態の確認や、あるいは原稿画像の色や濃淡の状態、さらにはスキャンした原稿画像に付与される画像処理の結果を確認することを、主たる目的としている。
【０００３】
原稿読取装置（スキャン装置）としては、パーソナルコンピューター（いわゆるパソコン、ＰＣ）等に接続して画像の取り込みに用いられるものや、複写機等の原稿走査部に搭載されるものが存在する。前者では高解像度、かつ表示面積の大きなパーソナルコンピューターのディスプレイ上で画像の確認が行えるのに対し、後者では複写機の操作部に搭載された比較的低解像度、かつ表示面積の小さな液晶等の表示装置がプレビューに流用されることが多い。
【０００４】
そこで、表示装置の表示領域にほぼ一致するように、プレビュー画像を表示することで、プレビュー画像に対する編集作業を効率良く行えるようにする方法が提案されている（例えば、特許文献１参照）。
【先行技術文献】
【特許文献】
【０００５】
【特許文献１】特開２０００−３３２９６６号公報
【発明の概要】
【発明が解決しようとする課題】
【０００６】
しかし、解像度が低く、表示面積が小さい表示装置上でスキャンされた原稿画像を確認する場合には、原稿画像の細かな部分が十分に確認できないことが多い。また、原稿画像の詳細を確認するために拡大表示を行う場合には、原稿全体の状態を確認できない。このため、例えば原稿が傾いて置かれていないか、あるいは複写時の印字範囲からはみ出して置かれていないかといったことを確認しようとすると、解像度が不足するために実質的には確認ができなかったり、原稿の細部を原稿全体に渡って確認するのに時間を要したりするといった問題があった。
【０００７】
上記のような原稿の傾きやはみ出しといった確認を行うには、前述の特許文献１のような手法でも細かな画像を表示できないために十分とはいい難い面がある。
この発明は、以上の事情を考慮してなされたものであって、低解像度、小面積の表示装置を使用する場合でもプレビューによる原稿画像の確認、特に原稿の傾きやはみ出しといった位置確認をユーザが容易に行える手法を提供するものである。
【課題を解決するための手段】
【０００８】
上述した課題を解決するために、この発明は、読み取られた原稿画像の端部を検出し、検出した端部領域を抽出して表示装置に表示する、あるいは読み取られた原稿画像中の多数の文字から成る領域を検出し、検出した領域を抽出して表示装置に表示する表示モードを設けるようにする。さらに、抽出された複数の領域の画像が、同時に表示装置に表示する表示モードを設けてもよい。
【０００９】
即ち、この発明は、原稿画像を読み取る原稿読取部と、読み取られた原稿画像を加工し出力用画像を生成する画像処理部と、前記出力用画像を外部へ出力する出力部と、原稿画像をユーザがプレビューするための表示部とを備え、前記画像処理部は、原稿画像の端部領域または原稿画像の文字領域に相当する一部領域からプレビュー用画像データを生成し、前記プレビュー用画像データを表示部に提供することを特徴とするプレビュー機能付き原稿読取装置を提供する。
【発明の効果】
【００１０】
この発明の原稿読取装置において、前記画像処理部は、原稿画像の端部領域または原稿画像の文字領域に相当する一部領域からプレビュー用画像データを生成し、前記プレビュー用画像データを表示部に提供するので、従来からの原稿全体を表示するようなプレビュー画像に比べ、原稿の傾きやはみ出しといった位置確認をユーザが容易に行うことができる。また、原稿の一つの領域のみを部分的に拡大して表示する場合に比べると、原稿の傾きやはみ出しの確認の対象となる原稿の端部領域や文字領域が抽出されプレビュー画像として表示されるので、一方の端部から他方の端部へ画像をスクロールさせて確認するために時間を費やすことがない。
【００１１】
この発明において、原稿読取部は、原稿の画像を画像データとして読み取り画像信号を出力する部分である。その具体的な態様は、例えば、原稿台に置かれた原稿を走査しＣＣＤなどのイメージセンサで原稿画像を読み取り読み取られた画像の信号を出力する装置、いわゆるイメージスキャナである。後述する実施形態において、原稿読取部は、露光ランプ、走査光学系、ＣＣＤセンサ、ＣＣＤ制御部、スキャナ画像処理部および原稿サイズ検知に相当する。
また、画像処理部は、原稿読取部から出力された画像信号を出力可能な内容、形式に加工するものである。加工の一例は、画像の圧縮／伸張、回転、変倍、解像度変換、一部領域の削除、一部領域のコピー、色補正、下地除去処理、文字領域と階調領域との領域分離処理である。その電気回路的な構成の具体的な態様は、例えば、ＣＰＵ、ＣＰＵが実行すべき処理プログラムを格納しワークエリアを提供するメモリ、種々の画像フィルタ処理等をＣＰＵの制御の下で行う画像処理プロセッサ、画像データを格納する画像メモリおよび画像メモリが画像データを読み書きする動作を制御するメモリコントローラ、外部機器やハードディスクドライブ等の装置と画像データのやり取りを行うためのインターフェース回路等から構成されるユニットである。
【００１２】
出力部は、画像処理部により処理された画像データを外部へ出力するものである。その具体的な態様の一例は、画像データを印刷するプリントエンジンである。後述する実施形態において、出力部は、プリントエンジンに相当する。また、通信回線を介して接続されたＦＡＸ受信機へファクシミリ信号を送信するＦＡＸ送信部に相当する。さらに、ネットワークを介して接続される外部のパーソナルコンピューターへ画像データを送信するためのネットワークＩ／Ｆに相当する。あるいはまた、ハードディスク装置に画像データを書き込むためのＨＤＤ  Ｉ／Ｆに相当する。
また、表示部は、プレビュー画像を表示するものである。また、装置の動作状態や設定された機能を表示してもよい。その具体的な態様は、例えば、操作部に配置されたドットマトリックス表示装置である。後述する実施形態において、表示部は、液晶表示パネルに相当する。
【図面の簡単な説明】
【００１３】
【図１】本発明の実施に係る画像形成装置の全体ブロック図である。
【図２】図１に記した画像処理部の詳細なブロック図である。
【図３】図１に記した操作部の詳細なブロック図である
【図４】本発明の実施に係る原稿画像および読み込まれた原稿画像の一例を示す説明図である。
【図５】本発明の実施に係る端部領域の抽出および抽出された端部領域に基づくプレビュー用画像の一例を示す説明図である。
【図６】本発明の実施の形態２に係るプレビュー用画像の一例を示す説明図である。
【図７】本発明に係る画像処理部が、抽出すべき端部領域を決定する処理を説明するための説明図である。
【図８】本発明の実施の形態３に係る原稿画像と読み込まれた原稿画像を示す説明図である。
【図９】図８に示す読み込まれた原稿画像から文字部分の端部を抽出し、それに基づいて端部領域を抽出する様子を示す説明図である。
【図１０】本発明に係る画像処理部のＣＰＵが、図４、図５に係る処理を行う際の手順を示すフローチャートである。
【図１１】実施の形態２で述べたプレビュー用画像のスクロール表示に係る画像処理部および操作部の各ＣＰＵの処理手順を示すフローチャートである。
【図１２】実施の形態１で述べたプレビュー用画像の表示に係る画像処理部の処理フローを示したものである。
【図１３】図１３は、原稿画像から文字列が固まっている部分を検出し、プレビュー用画像として表示する場合の一連の画像処理を示す説明図である。
【発明を実施するための形態】
【００１４】
以下、この発明の好ましい態様について説明する。
前記出力部は、出力用画像を出力先としての画像記憶装置、画像形成装置および／または通信線を介して接続された外部機器に出力し、前記画像処理部は、前記出力先に適合するよう決定された画像サイズに基づいて前記端部領域を抽出してもよい。このようにすれば、出力先に適合するよう決定された画像サイズに基づいて前記端部領域の大きさが決定されるので、例えば印刷出力される状態で端部の画像をユーザが容易に確認することができる。従って、原稿が置かれた位置の適否や傾きの有無などの確認をユーザが容易に行える。
【００１５】
また、前記画像処理部は、前記原稿画像の下地除去処理を行い、下地除去処理された画像から矩形の画像領域端を決定し、その画像領域端に基づいて前記端部領域を抽出してもよい。このようにすれば、端部付近が余白あるいは下地の領域のみで文字等の情報が存在しない原稿であっても、文字等の情報が存在する部分に基づいて端部領域を抽出することができる。従って、原稿が置かれた位置の適否や傾きの有無などの確認をユーザが容易に行える。
【００１６】
さらにまた、前記画像処理部は、前記原稿画像を少なくとも文字領域と非文字領域とに分離する領域分離処理を行い、領域分離処理された画像から前記文字領域を抽出してもよい。このようにすれば、文字等の情報が存在する文字領域プレビュー用画像として表示されるので、原稿が置かれた位置の適否や傾きの有無などの確認をユーザが容易に行える。即ち、文字列が並んでおり、傾きが判別しやすい箇所がプレビュー画像として表示されるようにできる。
【００１７】
前記画像処理部は、原稿画像から異なる位置の複数の端部または文字領域を抽出し、抽出された複数の領域を同時に表示するプレビュー用画像を生成してもよい。このようにすれば、複数の端部領域または複数の文字領域が表示部に同時に表示されるので、原稿が置かれた位置の適否や傾きの有無などの確認をユーザが容易に行える。
【００１８】
また、前記画像処理部は、表示部の縦横方向の表示サイズに対しいずれか一方向には収まるが他方向には収まらないサイズで前記プレビュー用画像を生成し、前記プレビュー用画像は、他方向へスクロールされることにより表示部に各部分が表示されるものであってもよい。このようにすれば、同時に表示される複数の端部領域または複数の文字領域が表示部の一方向について同時に収まるように表示されるので、各領域の状態を確認しつつ原稿が置かれた位置の適否や傾きの有無などの確認をユーザが容易に行える。また、他方向については、表示をスクロールさせることにより一時に表示されない部分の状態を確認することができる。
【００１９】
さらにまた、前記画像処理部は、原稿画像の端部領域を複数の部分領域に分割し、各部分領域に対応する画像データを並べて同時に表示するプレビュー用画像を生成してもよい。このようにすれば、部分領域に分割された端部領域が並んだ状態で同時に表示されるので、原稿が置かれた位置の適否や傾きの有無などの確認をユーザが容易に行える。
【００２０】
前記画像処理部は、各部分領域に対応する画像データの天地の方向を原稿の天地の方向と一致させて並べたプレビュー用画像を生成してもよい。このようにすれば、天地の方向が一致するように並んだ状態で各部分領域が表示されるので、例えば、傾きを相殺すべく原稿を回転させる方向をユーザが容易に把握することができる。
ここで示した種々の好ましい態様は、それら複数を組み合わせることもできる。
以下、図面を用いてこの発明をさらに詳述する。なお、以下の説明は、すべての点で例示であって、この発明を限定するものと解されるべきではない。
【００２１】
図１は、本発明の実施に係る画像形成装置の全体ブロック図である。なお、本願発明の特徴は主として画像処理部および操作部にあり、他の各ブロックの機構的、回路構成は周知のものと同様であるため詳細は省略する。
【００２２】
図１で、露光ランプ１で露光された原稿２の像は、走査光学系３を通してＣＣＤセンサ４に結像する。ＣＣＤセンサ４はＣＣＤ制御部５からの制御信号により駆動され、光を電気信号に変換して出力する。電気信号は、スキャナ画像処理部６にてシェーディング補正等の補正をされ、レッド、グリーン、ブルーの各色成分信号からなるＲＧＢ形式で画像処理部１３に出力される。画像処理部１３ではＲＧＢ形式の画像データを受け、実施形態に記載の種々の画像処理を実行したり、イエロー、マゼンタ、シアン、ブラックの色成分信号からなるＹＭＣＫ形式や輝度成分信号のみの白黒形式に変換したり、画像のマスキング、色補正等を実施したりする。画像処理部１３はネットワーク１２を介して外部のパーソナルコンピューター１１等と接続され、読み取った原稿画像をパソコンに送信したり、パソコンからのプリント画像を受け付けたりする。
【００２３】
画像処理部１３で必要な処理を施された画像データは、プリントエンジン９へ送出されて用紙に印字される。あるいは、画像処理部１３からＦＡＸ送受信部１０に画像データが送出されて、ＦＡＸによる送信が実行される。
外部からのＦＡＸデータを受信した場合は、ＦＡＸ送受信部１０から画像処理部１３に受信したデータが送られ、必要な処理の後、プリントエンジン９に画像データが送られて受信データの印字が実行される。
画像処理部１３にはハードディスク（ＨＤＤ）７が接続されており、画像データの保管等に使用される。
【００２４】
操作部８は液晶と操作用のボタンを持ち、画像形成装置の状態の液晶での表示、あるいはボタンで入力された動作モード設定や複写枚数等の液晶での表示等を行う。操作部８はまた、画像処理部１３からの画像データを受信してプレビュー表示も行えるように構成されている。
【００２５】
なお、原稿のサイズを検出するため、原稿サイズ検知１４が設けられており、原稿台（図示せず）に載置された原稿のサイズを検出可能となっている。また、プリントエンジン９では印字に使用する用紙のサイズを検出し、画像処理部１３に使用する用紙サイズを伝達し、画像処理部１３で印字時の画像サイズが調整される。
【００２６】
図２は、図１に記した画像処理部１３の詳細なブロック図である。
種々のモジュールを接続するために、ローカルバス３１が設けられており、各モジュール間での画像データとコマンドの送受が高速に実行できるように構成されている。
画像メモリ２０はＣＣＤセンサ４で読み取られた原稿画像を画像データとして保持するための揮発性メモリであり、メモリコントローラ２１によってローカルバス３１からの読み書きが制御される。
【００２７】
画像処理プロセッサ２２は画像形成装置の処理速度を上げるために設けられており、ＣＰＵ２３からの命令でＣＰＵ２３が行うよりも高速に画像の圧縮・伸張、回転、変倍等の比較的単純な処理を行う。
ＣＰＵ２３はプログラムメモリ２４（ワークメモリとしての機能も担う）を使ってプログラムにしたがって画像の処理や各ユニットとの画像データの送受信等の制御を行う。
スキャナＩ／Ｆ  ２５（Ｉ／Ｆはインターフェース回路の意）、プリントエンジンＩ／Ｆ  ２６、ＦＡＸ  Ｉ／Ｆ  ２７、ネットワークＩ／Ｆ  ２８、ＨＤＤ  Ｉ／Ｆ  ２９、操作部Ｉ／Ｆ  ３０は、それぞれ図１に示した画像処理部１３に接続される各ユニットとメモリコントローラ２１との間で、画像データの送受信を行う。
【００２８】
図３は、図１に記した操作部８の詳細なブロック図である。
液晶表示パネル６７はローカルバス６８に接続された液晶コントローラ６１により、表示用画像メモリ６０に格納された画像が表示制御される。
キースイッチ６２はＩ／Ｏ６３（Ｉ／Ｏは入出力回路の意）を介してローカルバス６８に接続されており、ユーザが各種動作設定等を入力できる。
【００２９】
ＣＰＵ６５にはワークメモリとしても機能するプログラムメモリ６４が接続されており、ローカルバス６８を介して他の素子にアクセスでき、操作部全体の制御を行う。
画像処理部とのＩ／Ｆ  ６６は図２の操作部Ｉ／Ｆ  ３０と接続され、画像処理部１３からの表示用画像データ等を受けて表示用画像メモリ等に格納する。
【００３０】
（実施の形態１）
図４〜図７は、本発明を実施した画像形成装置で複写動作を行う場合の、原稿、画像処理部に読み込まれた状態の原稿画像、および画像処理部で抽出されたプレビュー用画像を模式的に示したものである。
図４は、本発明の実施に係る原稿画像および読み込まれた原稿画像の一例を示す説明図である。図４（ａ）は図１に示す原稿２の画像である原稿画像４０を示し、図４（ｂ）は原稿画像４０がＣＣＤセンサ４で読み取られ画像処理部１３内の画像メモリ２０に一旦保存された状態の画像、即ち、読み取られた原稿画像４１を示している。
図５は、本発明の実施に係る端部領域の抽出および抽出された端部領域に基づくプレビュー用画像の一例を示す説明図である。図５（ａ）は、図４（ｂ）に示す読み取られた原稿画像４１から、プレビュー表示用の画像データの対象となる端部領域４２、４３、４４および４５が抽出された状態を示す。図５（ｂ）は、抽出された端部領域に基づき生成されたプレビュー表示用画像の一例を示している。
【００３１】
この実施形態では、読み取られた原稿画像４１について、実際に印字される用紙サイズを基準にして用紙端部から１０ｍｍ幅の範囲を端部領域として規定し、各辺に対応する端部領域４２、４３、４４および４５を抽出している。ここで、各辺の端部領域の重複部分４９ａ、４９ｂ、４９ｃ、４９ｄは画像の確認を行う際のプレビュー画像の見易さを考慮し、端部領域４２、４３、４４および４５で重複して抽出されるようにするのが好ましい。例えば、端部領域４２、４３の重複部分４９ｂは、両者に共通して抽出される。
図５（ｂ）は、液晶表示パネル６７に表示されるプレビュー画像の一例を示す説明図である。図５（ａ）に示す端部領域４２、４３、４４および４５の画像が、操作部８の液晶表示パネル６７に表示された状態の一例である。ここで、図５（ｂ）の外枠は、液晶表示パネル６７の表示領域の外枠に対応する。
【００３２】
図５（ｂ）で、液晶表示パネル６７の表示領域が横長の矩形状であるため、画像処理部１３のＣＰＵ２３は、端部領域４２および４５の画像については、前記表示領域に収まるように横方向のサイズが決定された状態でプレビュー用画像データを生成するよう制御する。端部領域４３、４４の画像については前記表示領域に収めるため、ここでは縦方向にそれぞれ４分割し、横方向に隣り合って表示されるようプレビュー用画像データを生成する。図５（ｂ）に示すプレビュー画像のうち、端部領域の分割画像４３ａ、４３ｂ、４３ｃ、４３ｄは分割された端部領域４３の画像に対応し、端部領域の分割画像４４ａ、４４ｂ、４４ｃ、４４ｄは、分割された端部領域４４の画像に対応する。
図５（ｂ）に示すように原稿画像の端部領域だけを抽出してプレビュー表示すれば、解像度が低く十分な面積を持たない操作部の表示装置であっても、原稿画像の全域を表示する場合に比べて原稿端部の詳細な状態をユーザが確認できる。また、原稿画像の方向とプレビュー表示される各画像の方向が対応しており、天地の方向が一致しているため、ユーザは原稿の傾き方向などを直感的に認識することができ、原稿位置の修正等が容易に行えるという利点がある。
【００３３】
ユーザがプレビュー表示で原稿の状態を確認する主要な目的の一つは、原稿が正しい位置、即ち読み取りの有効範囲に載置されているか、あるいは、斜めに載置されていないかである。図５（ｂ）のようにプレビュー画像を表示することで原稿が前記有効範囲からはみ出していないか、あるいは著しく斜めになっていないかを容易に確認できるようになる。
なお、本発明を実施したプレビュー画像以外に従来からの原稿全体を表示するようなプレビュー画像も表示可能であって両者を選択できるようにすれば、さらに操作性が改善できる。
【００３４】
（実施の形態２）
図６は、図５（ｂ）のプレビュー用画像と異なるプレビュー用画像の一例を示す説明図である。図６では端部領域の画像を分割したうえで並べて一度に表示しているが、図５（ｂ）では横長の前記表示領域に合わせて、端部領域の各画像を横長の方向に揃えかつ縦方向に隣り合うように並べたプレビュー画像を生成するように制御している。ここで、プレビュー画像の縦方向のサイズは、前記表示領域の縦方向のサイズと一致するようにプレビュー画像の倍率を決定している。液晶表示パネル６７の表示領域からはみ出して一度に表示できない部分は斜線をかけた領域として示している。このはみ出し部分４８については、操作部８に配されたスクロールボタン４７ａ、４７ｂをユーザが押すと、それに応答して液晶表示パネル６７に表示される部分がスクロールするように制御される。
この態様によれば、解像度が低く狭い液晶表示パネルであっても、原稿全体を表示する従来のプレビュー画像に比べると十分な解像度で原稿の状態を確認ができ、操作性が向上する。
【００３５】
図７は、本発明に係る画像処理部１３のＣＰＵ２３が、種々の原稿サイズ、用紙サイズ、およびユーザにより設定された編集処理等に応じて、抽出すべき画像の端部を適切に決定する処理を説明するための説明図である。
図７の左側の画像はいずれも読み込まれた原稿画像４１ａ、４１ｂを示すが、両者は原稿のサイズが異なる。原稿画像４１ａは原稿画像４１ｂよりも小さなサイズの原稿画像である。これらの画像に対して、図７の右側の画像９０ａ〜９０ｃはいずれも出力用画像、即ち、プリントエンジン９により印刷されるべき画像、ＦＡＸ送受信部１０を経て外部へ送信されるべき画像あるいはネットワーク１２を介して接続されたパーソナルコンピューター１１に送信されるべき画像を模式的に示したものである。画像サイズはすべて同じサイズとしている。
【００３６】
出力用画像９０ａは、小サイズ原稿画像４１ａを印刷用の用紙にちょうど収まるサイズに拡大している。この場合、ＣＰＵ２３は、原稿画像４１ａが拡大処理された出力用画像のサイズに基づいて端部領域を決定し、端部領域４２ａ、４３ａ、４４ａおよび４５ａを抽出するように制御する。
出力用画像９０ｂは、大サイズ原稿画像４１ｂを用紙にちょうど収まるように縮小している。この場合、ＣＰＵ２３は、原稿画像４１ｂが縮小処理された出力用画像のサイズに基づいて端部領域を決定し、端部領域４２ｂ、４３ｂ、４４ｂおよび４５ｂを抽出するように制御する。
出力用画像９０ｃは、綴代９１を設けてその分だけ大サイズ原稿画像４１ｂをさらに縮小している。この場合、ＣＰＵ２３は、画像サイズと用紙サイズから決まる倍率から大サイズ原稿画像４１ｂをさらに縮小するように制御する。そのため、出力用画像９０ｂと比べると、上下に余白９２ａ、９２ｂができている。端部領域４２ｃ、４３ｃ、４４ｃおよび４５ｃは綴代９１や上下の余白９２ａ、９２ｂを除き、大サイズ原稿画像４１ｂに対応する部分から端部領域を抽出するように制御する。文字のない部分を表示するのはプレビュー表示の目的に照らして技術的意義に乏しいためである。
【００３７】
（実施の形態３）
図８および図９は、図４〜図７とは別な方法で画像を抽出する例を模式的に示した説明図である。
図８は、実施の形態３に係る原稿画像と読み込まれた原稿画像を示す説明図である。図８（ａ）は、原稿画像を示している。図８（ａ）の原稿画像は、用紙の地の色よりも高い濃度の下地画像部５１に重なって、文字部分５０が配置されている。図８（ｂ）は、図８（ａ）に示す原稿画像が画像処理部１３の画像メモリ２０に読み取られた状態の原稿画像を示す説明図である。
【００３８】
図９は、図８に示す読み込まれた原稿画像から文字部分の端部を抽出し、それに基づいて端部領域を抽出する様子を示す説明図である。図９（ａ）は、画像処理部１３が、図８（ｂ）から下地画像部５１を除去して文字部分５０と見られる領域の最も外側の画像領域を抽出する。図９（ａ）は、文字部分５０と見られる領域の端として決定された文字領域境界５２、５３、５４、５５の位置を示す。図５（ａ）では用紙サイズから端部領域を決定したが、この実施形態によれば、ＣＰＵ２３は、下地除去処理を行った後の領域、即ち、文字等の情報が存在すると思われる領域の境界に基づいて端部領域を決定する。そのため、図８（ａ）のように原稿の端部に文字等が存在しない原稿画像であっても、読み取られた原稿画像から文字等の情報が存在すると思われる領域が特定され、文字領域境界５２、５３、５４および５５に基づいて端部領域を抽出することができる。図９（ｂ）は、図８（ａ）に示す原稿画像から抽出された端部領域５６、５７、５８、５９を示す説明図である。一般に、文字等の情報が存在する部分は下地画像部のみの領域に比べて原稿が斜めに置かれているか否かといった判断をユーザが容易に行える利点があると考えられる。
【００３９】
（処理手順の説明）
図１０は、本発明に係る画像処理部のＣＰＵが、図４、図５に係る処理を行う際の手順を示すフローチャートである。
ＣＣＤセンサ４で読み取られた原稿画像のデータが画像メモリ２０に記憶された状態で、読み込まれた原稿画像のサイズと出力条件から、出力時の画像サイズを求める（Ｓ１）。ここで、出力条件とは、図７の説明で述べたように、種々の原稿サイズ、用紙サイズ、およびユーザにより設定された編集処理等に関する条件である。
【００４０】
印字の際に用紙サイズ一杯に印字をすると、用紙搬送のずれ等で用紙に転写されなかったトナーが機械の一部や、あるいは用紙の意図しない場所に付着することがある。これを防止するために、数ミリメートル程度の印字を禁止する領域（ボイドエリア）を設けることが多い。そのため、単純に用紙サイズで判定する以外に、このようなボイドエリアを含めて印字領域を求め、上記印字する際のサイズとしても良い。
【００４１】
求めたサイズから、例えば、１０ｍｍの幅に相当する部分として規定された端部領域の画像データを抽出する（Ｓ２）。１０ｍｍは一例であり、端部領域としてどれだけの画像データを抽出するかは、操作部の表示能力により適宜調整すればよい。
図５（ｂ）のような態様でプレビュー画像を表示するため、ＣＰＵ２３は、抽出された端部領域４３、４４に対応する画像データを４分割するように制御する（Ｓ３）。このようにして４分割された端部領域の分割画像４３ａ〜４４ｄと、分割しない端部領域４２、４５の画像を生成する（Ｓ５）ように制御する。これを操作部に送出し（Ｓ６）、操作部では画像処理部から送出された画像を表示する。ＣＰＵ２３は、分割画像４３ａ〜４４ｄと端部領域４２、４５の画像を合成して一つのプレビュー画像を生成するよう制御してもよいが、分割画像４３ａ〜４４ｄと端部領域４２、４５を個別に生成して操作部に送出し、操作部８のＣＰＵ６５がそれらの画像を合成して表示するように制御してもよい。装置内部でどの部分にどの処理を行わせるかは、各部の処理能力等に応じて適宜決定すればよい。
【００４２】
図１１は、実施の形態２で述べたプレビュー用画像のスクロール表示を行うように構成した場合における、画像処理部および操作部の各ＣＰＵの処理手順を示すフローチャートである。
Ｓ１１〜Ｓ１６までは図１０のＳ１〜Ｓ６とほぼ同じ処理である。Ｓ２０以降は操作部での処理フローを示す。画像処理部から受信した画像データを、図６の上部のように表示する（Ｓ２０）。
【００４３】
左スクロールキーが押されたか（Ｓ２１）、右スクロールキーが押されたか（Ｓ２４）により処理を分け、それぞれ左右一杯までスクロールしているかどうかを判定し（Ｓ２２、Ｓ２５）、まだスクロールできれば隠れている画像が表示されるようにスクロール処理を行う（Ｓ２３、Ｓ２６）。
ボタンが押されてプレビュー表示が終了（Ｓ２７）するまで、上記動作を繰り返す。
【００４４】
図１２は、実施の形態１で述べたプレビュー用画像の表示に係る画像処理部の処理フローを示したものである。
ここでは、画像データは白黒・多値画像であり、値が大きいほど黒く、値が小さいほど白く表現されるとして説明する。
画像メモリに読み込んだ画像のバックグランドを判定するために、判定用濃度ｄを決定する（Ｓ４０）。
【００４５】
判定用濃度ｄは、あらかじめ決定された一定の濃度値でも良く、あるいはスキャンした画像データの濃度ヒストグラム等から求めるようにすれば、原稿画像に応じてより適切な値を決定できる。
画像の有効域、すなわち図９の５２〜５５を決定するために、ｘ１、ｘ２、ｙ１、ｙ２の値を初期設定する（Ｓ４１）。
【００４６】
画像を走査するための変数ｘとｙを初期化する（Ｓ４３、Ｓ４２）。ｘは主走査方向の、ｙは副走査方向の画素位置を示す。
ｘ、ｙで示される画素の濃度とｄを比較し、画素濃度がバックグランド以下の場合、すなわち、ｄよりもうすい画素濃度である場合は、その画素を白画素に置換する（Ｓ５７）。
逆に画素濃度がバックグランドより高い場合、すなわち、ｄよりも濃い画素濃度である場合は、文字等の有効な画素であると判断し、Ｓ４５以降の処理を行う。
【００４７】
ｙ１は副走査画素数に初期化されるため、Ｓ４６は初めにＳ４４→Ｓ４５の処理が実行されたときのみ実行され、図９の符号５４の画素位置が記憶される。
ｙ２は０に初期化されるため、副走査方向に新たなＳ４４→Ｓ４５の処理が実行されると必ず実行され、最終的に図９の符号５５の画素位置が記憶される。
主走査方向の画素位置を示すｘはＳ４３で１ラインの処理開始毎に初期化されるが、ｘ１は１ライン毎に初期化されないため、Ｓ４９の処理はより小さなｘ座標値の有効画素が見つかる毎に実行される。
【００４８】
Ｓ５１もＳ４９同様に実行されるため、より大きなｘ座標値の有効画素が見つかる毎に実行され、全画素について処理を完了した時点で、ｘ１には図９の５２の位置、ｘ２には図９の５３の位置がそれぞれ格納される。
Ｓ５３で主走査方向に終了していなければ画素位置を１画素進める（Ｓ５５）。
主走査方向に終了していれば、副走査方向に終了したかを判定し（Ｓ５４）、終了していなければｙを＋１する。
Ｓ６２〜Ｓ６６は、図１０のＳ２〜Ｓ６と同様な処理となっている。
【００４９】
（実施の形態４）
以上の説明においては、原稿画像の端部領域を抽出してプレビュー表示していたが、この実施の形態では、端部領域に代えて文字列が固まっている部分を原稿画像から抽出しプレビュー表示する態様について説明する。
図１３は、原稿画像から文字列が固まっている部分を検出し、プレビュー用画像として表示する場合の一連の画像処理を示す説明図である。
図１３（ａ）は原稿画像そのものを示し、図１３（ｂ）は画像メモリ２０に読み込まれた原稿画像を示す。
図１３（ｃ）は、図１３（ｂ）の画像にぼかし処理を加えたものであり、図１３（ｄ）は図１３（ｃ）を二値化したものである。ぼかし処理は一般的な画像処理で使用されるガウスぼかし等を使えばよい。
【００５０】
図１３（ｅ）は図１３（ｄ）に細線化処理を施したものである。細線化処理も一般的な画像処理で使用される方法を使う。図１３（ｄ）において、文字列が存在していた箇所は、文字領域８０、８１、８２、８３、８４として点線枠で囲まれた箇所のように、ほぼ直線が平行に並んだ状態となる。このため、ＣＰＵ２３は、これら直線がなるべく多く並んだ箇所を探し、操作部には最も平行直線の数が多い箇所としての文字領域８３を表示させるように制御する。
【００５１】
これにより、文字列が並んでおり、傾きが判別しやすい箇所がプレビュー用画像として表示される。
以上に示したように本発明を実施することで、解像度が低く、表示面積が狭い操作部であっても、原稿載置状態の確認が容易に行える。
【００５２】
前述した実施の形態の他にも、この発明について種々の変形例があり得る。それらの変形例は、この発明の範囲に属さないと解されるべきものではない。この発明には、請求の範囲と均等の意味およびその範囲内でのすべての変形とが含まれるべきである。
【符号の説明】
【００５３】
１：露光ランプ
２：原稿
３：走査光学系
４：ＣＣＤセンサ
５：ＣＣＤ制御部
６：スキャナ画像処理部
７：ハードディスク
８：操作部
９：プリントエンジン
１０：ＦＡＸ送受信部
１１：パーソナルコンピューター
１２：ネットワーク
１３：画像処理部
１４：原稿サイズ検知
２０：画像メモリ
２１：メモリコントローラ
２２：画像処理プロセッサ
２３：ＣＰＵ
２４：プログラムメモリ
２５：スキャナＩ／Ｆ
２６：プリントエンジンＩ／Ｆ
２７：ＦＡＸ  Ｉ／Ｆ
２８：ネットワークＩ／Ｆ
２９：ＨＤＤ  Ｉ／Ｆ
３０：操作部Ｉ／Ｆ
３１：ローカルバス
４０：原稿画像
４１：読み取られた原稿画像
４１ａ：小サイズ原稿画像
４１ｂ：大サイズ原稿画像
４２、４３、４４、４５：端部領域
４３ａ、４３ｂ、４３ｃ、４３ｄ、４４ａ、４４ｂ、４４ｃ、４４ｄ：分割画像
４７ａ、４７ｂ：スクロールボタン
４８：はみ出し部分
４９ａ、４９ｂ、４９ｃ、４９ｄ：重複部分
５０：文字部分
５１：下地画像部
５２、５３、５４、５５：文字領域境界
５６、５７、５８、５９：端部領域
６０：表示用画像メモリ
６１：液晶コントローラ
６２：キースイッチ
６３：Ｉ／Ｏ
６４：プログラムメモリ
６５：ＣＰＵ
６６：画像処理部とのＩ／Ｆ
６７：液晶表示パネル
６８：ローカルバス
８０、８１、８２、８３、８４：文字領域
９０ａ、９０ｂ、９０ｃ：出力用画像
９１：綴代
９２ａ、９２ｂ：余白
【図１】
2011077669.tif 000003
【図２】
2011077669.tif 000004
【図３】
2011077669.tif 000005
【図４】
2011077669.tif 000006
【図５】
2011077669.tif 000007
【図６】
2011077669.tif 000008
【図７】
2011077669.tif 000009
【図８】
2011077669.tif 000010
【図９】
2011077669.tif 000011
【図１０】
2011077669.tif 000012
【図１１】
2011077669.tif 000013
【図１２】
2011077669.tif 000014
【図１３】
2011077669.tif 000015